(57)【要約】【課題】環境条件に応じて各桐パネルの厚さを簡単に変更することができ、且つ施工が容易でありコストの削減を図ることができる木造桐パネル住宅の建築工法及び木造桐パネル住宅を提供する。【解決手段】桐板からなる基準板１１を複数枚形成しておき、基準板１１を必要に応じて複数枚貼り合わせることで、用途・環境に応じた所定厚さの桐パネルを形成する。【選択図】図２
2013245481.tif 000002
【特許請求の範囲】
【請求項１】
厚さの異なる複数種の桐パネルを用いた木造桐パネル住宅の建築工法であって、
所定厚の桐板からなる基準板を複数枚形成しておき、
該基準板を必要に応じて複数枚貼り合わせることで、用途・環境に応じた所定厚さの桐パネルを形成することを特徴とする木造桐パネル住宅の建築工法。
【請求項２】
請求項１に記載の木造桐パネル住宅の建築工法において、
前記桐パネルを、壁材、床材及び天井材として用いることを特徴とする木造桐パネル住宅の建築工法。
【請求項３】
請求項１又は２に記載の木造桐パネル住宅の建築工法において、
前記基準板が集成材からなることを特徴とする木造桐パネル住宅の建築工法。
【請求項４】
厚さの異なる複数種の桐パネルを用いた木造桐パネル住宅において、
複数種の各桐パネルが、必要に応じて貼り合わせられた所定厚の桐板からなる所定枚数の基準板で構成されていることを特徴とする木造桐パネル住宅。
【発明の詳細な説明】
【技術分野】
【０００１】
本発明は、異なる厚さの複数種の桐パネルを用いた木造桐パネル住宅の建築工法及び木造桐パネル住宅に関する。
【背景技術】
【０００２】
木造住宅の建築工法として、例えば、壁、床及び天井等の用途に応じて形成された各種パネルを用いた工法が知られている。具体的には、例えば、工場で生産した用途毎の複数種のパネルを現場に搬入して組み立てる木質パネル工法や、この木質パネル工法と木造軸組工法とを組み合わせた建築工法等が提案されている（例えば、特許文献１参照）。
【０００３】
また、このような工法で使用されるパネルとしては、一般的に、板材の間に、断熱材や、結露防止用のビニールシートが挟まれた構造のものが使用されている。具体的には、桐製の第１の板材と第２の板材との間に機能材を一体的に設けたものがある（例えば、特許文献２参照）。
【０００４】
このようにパネルを用いた工法を採用することで、パネルを使用しない従来の工法に比べて作業効率が向上するため、コストの削減を図ることができる。
【先行技術文献】
【特許文献】
【０００５】
【特許文献１】特開平０６−２１２６８８号公報
【特許文献２】特開２００８−１４１１１号公報
【発明の概要】
【発明が解決しようとする課題】
【０００６】
ところで、パネルに要求される特性は、用途が同じであっても、住宅を建築する土地の環境条件、例えば、気候（気温、湿度等）や、周囲の騒音等によって異なるため、各パネルの厚さは、環境条件に応じて適宜決定されることが好ましい。
【０００７】
しかしながら、例えば、特許文献２に記載のような構造のパネルは、特定の形状や積層構造を備えることで所望の機能を発揮するものであり、パネルの厚さを簡単に変更することは難しい。
【０００８】
本発明はこのような事情に鑑みてなされたものであり、環境条件に応じて各桐パネルの厚さを簡単に変更することができ、且つ施工が容易でありコストの削減を図ることができる木造桐パネル住宅の建築工法及び木造桐パネル住宅を提供することを目的とする。
【課題を解決するための手段】
【０００９】
本発明の第１の態様は、厚さの異なる複数種の桐パネルを用いた木造桐パネル住宅の建築工法であって、所定厚の桐板からなる基準板を複数枚形成しておき、該基準板を必要に応じて複数枚貼り合わせることで、用途・環境に応じた所定厚さの桐パネルを形成することを特徴とする木造桐パネル住宅の建築工法にある。
【００１０】
本発明の第２の態様は、第１の態様の木造桐パネル住宅の建築工法において、前記桐パネルを、壁材、床材及び天井材として用いることを特徴とする木造桐パネル住宅の建築工法にある。
【００１１】
本発明の第３の態様は、第１又は２の態様の木造桐パネル住宅の建築工法において、前記基準板が集成材からなることを特徴とする木造桐パネル住宅の建築工法にある。
【００１２】
本発明の第４の態様は、厚さの異なる複数種の桐パネルを用いた木造桐パネル住宅において、複数種の各桐パネルが、必要に応じて貼り合わせられた所定厚の桐板からなる所定枚数の基準板で構成されていることを特徴とする木造桐パネル住宅にある。
【発明の効果】
【００１３】
本発明によれば、建築場所の環境条件に応じて、各桐パネルの厚さを容易に変更することができ、所望の特性（断熱性、調湿性、遮音性等）を有する木造桐パネル住宅を安価に提供することができる。
【図面の簡単な説明】
【００１４】
【図１】本発明の一実施形態に係る木造桐パネル住宅を示す概略図である。
【図２】本発明の一実施形態に係る各種桐パネルを示す断面図である。
【図３】本発明の一実施形態に係る内外壁パネルの概略を示す分解斜視図である。
【図４】本発明の一実施形態に係る内外壁パネルを用いた木造桐パネル住宅の壁面の形成手順を示す概略図である。
【図５】本発明の一実施形態に係る内外壁パネルを用いた木造桐パネル住宅の壁面の形成手順を示す概略図である。
【発明を実施するための形態】
【００１５】
以下、本発明の一実施形態について図面を参照して詳細に説明する。
【００１６】
本発明に係る木造桐パネル住宅は、厚さの異なる複数種の桐パネルを用いて建築されたものである。例えば、図１に示すように、本実施形態に係る木造桐パネル住宅１０には、外壁面及び内壁面を一体的に形成する内外壁パネル２１及び各部屋を仕切る間仕切パネル２２を含む壁パネル２０と、床面を形成する床パネル３０と、各階の天井面を形成する天井パネル４０とが用いられている。
【００１７】
これら壁パネル２０、床パネル３０、天井パネル４０は、図２に示すように、所定厚の桐板からなる基準板１１を必要に応じて複数枚貼り合わせることによって形成されている。本実施形態では、内外壁パネル２１が５枚の基準板１１を貼り合わせることによって形成され、間仕切パネル２２が３枚の基準板１１を貼り合わせることによって形成されている。また床パネル３０及び天井パネル４０が２枚の基準板１１を貼り合わせることによって形成されている。なお各基準板１１は接着剤等によって接合されている。
【００１８】
基準板１１の厚さは、略一定であれば特に限定されないが、例えば、２０ｍｍ〜３０ｍｍ程度であることが好ましい。本実施形態では、各基準板１１の厚さｔ１が約２５ｍｍである。このため、内外壁パネル２１の厚さは約１２５ｍｍであり、間仕切パネル２２の厚さは約７５ｍｍであり、床パネル３０及び天井パネル４０の厚さは約５０ｍｍとなる。
【００１９】
ここで、基準板１１は一枚板（無垢材）であってもよいが、集成材であることが好ましい。特に基準板１１は、奇数枚の桐板を積層し、隣接する各層の桐板の木目が略直交するように貼り合わせた、いわゆるクロス貼り構造の集成材であることが好ましい。これにより桐パネルの反りを効果的に抑制することができる。
【００２０】
なお基準板１１となる「桐板」は、木材の比重が０．３以下であって他の木材と比べて反り難く、しかも軽量であるという特徴を有する。
【００２１】
また、このような内外壁パネル２１及び間仕切パネル２２を含む壁パネル２０、床パネル３０及び天井パネル４０は、工場で所望の厚さに形成されて建築現場に搬入される。工場では、各桐パネルに共通する所定厚の桐板からなる基準板１１を形成し、建築場所の環境条件に応じて基準板１１を所定枚数貼り合わせることで、壁パネル２０、床パネル３０、天井パネル４０等の各桐パネルを製造する。
【００２２】
ここで、本実施形態では５枚の基準板１１を貼り合わせることで内外壁パネル２１を形成しているが、建築現場が比較的寒冷な地域や、比較的暑い地域である場合には、例えば、６枚の基準板１１を貼り合わせ、断熱性を高めた内外壁パネル２１を形成する。また、建築現場が比較的温暖な地域である場合には、基準板１１の枚数を減らし、４枚或いは３枚の基準板１１を貼り合わせることで内外壁パネル２１を形成する。
【００２３】
また、本実施形態では２枚の基準板１１を貼り合わせることで床パネル３０及び天井パネル４０を形成しているが、例えば、建築場所が温暖で乾燥地帯である場合には、基準板１１の枚数を減らして、１枚の基準板１１で床パネル３０及び天井パネル４０を形成する。逆に、建築場所が湿地帯であれば、枚数を増やし、例えば、３枚或いは４枚の基準板１１を貼り合わせることによって床パネル３０及び天井パネル４０を形成する。
【００２４】
また、本実施形態では３枚の基準板１１を貼り合わせることで間仕切パネル２２を形成しているが、例えば、防音効果を高めたい場合には、４枚或いは５枚の基準板１１を貼り合わせて間仕切パネル２２を形成する。勿論、必要に応じて２枚或いは１枚の基準板１１で間仕切パネル２２を形成してもよい。
【００２５】
このように本発明では、例えば、壁パネル２０、床パネル３０及び天井パネル４０等の各桐パネルを、貼り合わせる基準板１１の枚数を増減させることのみで、比較的簡単に所望の特性となるように形成することができる。このため、例えば、南北に細長い日本列島の気温差、日本海側と太平洋側との湿度差等の環境条件に応じて、各桐パネルを比較的容易に所望の厚さに形成することができる。したがって、本発明の建築工法によれば、建築場所に適した特性を有する木造桐パネル住宅を、低コストで建築することができる。
【００２６】
また本発明によれば、化石資源を用いた断熱材や、防湿剤を全く使用することなく、つまり化石資源を全く使用することなく、所望の断熱性及び調湿性を備えた木造桐パネル住宅を実現することもできる。
【００２７】
さらに本発明に係る木造桐パネル住宅は、調湿性に優れるため、年間に亘って除湿を行うことなく室内を快適な湿度に維持することもできる。除湿を行わないことで、エアコン等による電力消費量を大幅に削減することができ、省電力化を図ることができる。
【００２８】
なお、このような本発明の建築工法は、基準板１１として桐板を用いることによって実現することができるものである。すなわち、桐材は、断熱性及び調湿性が高いという特性を有することで、所定枚数の桐板によって所望の特性を有する桐パネルを形成することができる。
【００２９】
以下、本発明に係る内外壁パネル２１の一例について説明する。図３に示すように、内外壁パネル２１は、５枚の基準板１１（１１ａ〜１１ｅ）を貼り合わせることによって形成されている。そして、この内外壁パネル２１の一方側の面を構成する基準板１１ａが木造桐パネル住宅の外壁となり、他方側の面を構成する基準板１１ｅが木造桐パネル住宅の内壁となる。なお各基準板１１は、３枚の桐板を貼り合わせることによって形成されている。
【００３０】
なお壁パネル２０の上下端面のそれぞれには、その長手方向に沿って凹部２３が形成されており、後述するように、複数枚積み重ねられた各内外壁パネル２１が、この凹部２３に係合する係合部材によってそれぞれ連結されるようになっている。そして、積み重ねられた内外壁パネル２１をそれぞれ土台上に立設された柱に固定することで、各種性能に優れた木造桐パネル住宅の壁面を比較的容易に形成することができる。
【００３１】
具体的には、まず図４（ａ）に示すように、土台１００上に所定間隔で柱１１０を立設し、その他、例えば、桁、梁等で建物の骨組み（軸組）を形成する。次いで、図４（ｂ）に示すように、これらの柱１１０間に１枚の内外壁パネル２１を配し、各柱１１０に釘等によって固定する。
【００３２】
ここで、上述のように内外壁パネル２１の上下端面のそれぞれには、その長手方向に沿って凹部２３が形成されている。そして、図５（ａ）に示すように、柱１１０間に固定された内外壁パネル２１の上端面に形成された凹部２３に、係合部材５０を嵌め込んで固定する。その後、図５（ｂ）に示すように、１枚目の内外壁パネル２１に固定された係合部材５０を挟んで２枚目の内外壁パネル２１を積み重ねて柱１１０に固定する。つまり、一枚目の内外壁パネル２１に固定された係合部材５０を２枚目の内外壁パネル２１の下端面に設けられている凹部２３に嵌め込み、２枚目の内外壁パネル２１をこの状態で柱１１０に固定する。その後、同様にして複数枚の内外壁パネル２１を積み重ねてそれぞれ柱１１０に固定する。これにより木造桐パネル住宅の壁面が形成される。
【００３３】
このように内外壁パネル２１の一方面を外壁とし他方面を内壁として木造桐パネル住宅の壁面を形成することで、従来のように外壁材と内壁材とを別々に用意する必要がなく、短い工期で安価に木造桐パネル住宅の壁面を形成することができる。また各内外壁パネル２１が高い強度を有するため、内外壁パネル２１によって形成される壁が耐力壁として機能するため、間柱や筋交いの数を減らすことができ、施工が容易となると共にコストの削減を図ることもできる。また桐は耐火性能に優れているため、住宅の内壁及び外壁に用いることは、防火上、極めて効果的である。
【００３４】
以上本発明の実施形態について説明したが、勿論、本発明は、これらの実施形態に限定されるものではなく、その趣旨を逸脱しない範囲で適宜変更が可能なものである。
【００３５】
例えば、上述の実施形態では、複数枚の内外壁パネルを積み上げることで木造桐パネル住宅の壁面を形成する工法を例示したが、本発明の木造桐パネル住宅の建築工法は、勿論、この例に限定されるものではない。内外壁パネルは、寸法の安定性も高い桐を用いたものであるため、あらゆる組み立て工法に対応することができる。
【００３６】
また、上述の実施形態では、壁パネルとして内外壁パネルと間仕切パネルとを例示したが、勿論、内外壁パネルの代わりに、外壁パネル及び内壁パネルを用いるようにしてもよい。
【符号の説明】
【００３７】
１０  木造桐パネル住宅
１１  基準板
２０  壁パネル
２１  内外壁パネル
２２  間仕切パネル
２３  凹部
３０  床パネル
４０  天井パネル
【図１】
2013245481.tif 000003
【図２】
2013245481.tif 000004
【図３】
2013245481.tif 000005
【図４】
2013245481.tif 000006
【図５】
2013245481.tif 000007